(57)【要約】【課題】電極端子部の自由度を損なうことなく他の部品と接触しても短絡を防止できる絶縁性を確保できる扁平巻回形電力貯蔵デバイスモジュールを提供する。【解決手段】扁平巻回形電力貯蔵デバイスモジュールは、複数個の扁平巻回形電力貯蔵デバイスセルは、直線状に並べられるとともに直列接続され、一端に配置された扁平巻回形電力貯蔵デバイスセルの負極端子および他端に配置された扁平巻回形電力貯蔵デバイスセルの正極端子を除いて隣接する負極端子と正極端子が電気的に接続された端子間接合部と、各端子間接合部を上下から挟む少なくとも２枚の樹脂材と、各端子間接合部を覆う２枚の樹脂材の該端子間接合部の近傍に位置する部分で樹脂材を接合する樹脂材接合部と、を有する。【選択図】図１
2011096883.tif 000002
【特許請求の範囲】
【請求項１】
正極集電箔に正極電極層が形成された帯状の正極と負極集電箔に負極電極層が形成された帯状の負極との間に電気絶縁性を有する帯状のセパレータを挟んで扁平な形状に巻回された扁平巻回電極部、上記扁平巻回電極部に電解液を含浸させて密閉収納する密閉容器、および上記密封容器と電気的に絶縁されて上記正極集電箔および上記負極集電箔にそれぞれ巻回の軸方向に電気的に接続された正極端子および負極端子を備えた扁平巻回形電力貯蔵デバイスセルを複数個直列に接続した扁平巻回形電力貯蔵デバイスモジュールにおいて、
複数個の上記扁平巻回形電力貯蔵デバイスセルは、直線状に並べられるとともに直列接続され、
一端に配置された上記扁平巻回形電力貯蔵デバイスセルの上記負極端子および他端に配置された上記扁平巻回形電力貯蔵デバイスセルの上記正極端子を除いて隣接する上記負極端子と上記正極端子が電気的に接続された端子間接合部と、
上記各端子間接合部を上下から挟む少なくとも２枚の樹脂材と、
各上記端子間接合部を覆う２枚の上記樹脂材の該端子間接合部の近傍に位置する部分で上記樹脂材を接合する樹脂材接合部と、
を有することを特徴とする扁平巻回形電力貯蔵デバイスモジュール。
【請求項２】
上記扁平巻回形電力貯蔵デバイスセルが交互に蛇腹状に折り畳まれ、
折り畳まれた上記扁平巻回形電力貯蔵デバイスセルの間に挟まれた放熱板を有することを特徴とする請求項１に記載の扁平巻回形電力貯蔵デバイスモジュール。
【請求項３】
上下少なくとも２枚の上記樹脂材は袋状の熱可塑性樹脂フィルムからなるモジュール密閉袋であり、
一端に配置された上記扁平巻回形電力貯蔵デバイスセルの上記負極端子および他端に配置された上記扁平巻回形電力貯蔵デバイスセルの上記正極端子をシール部でシールするとともに残りが上記モジュール密閉袋により包まれて外気と遮断されることを特徴とする請求項１に記載の扁平巻回形電力貯蔵デバイスモジュール。
【請求項４】
上記モジュール密閉袋に、上記扁平巻回形電力貯蔵デバイスセルからガスが発生した場合に、膨張して膨らむ膨張部を設けたことを特徴とする請求項３に記載の扁平巻回形電力貯蔵デバイスモジュール。
【請求項５】
上記モジュール密閉袋は、アルミ箔の表裏に熱可塑性樹脂を張りつけた真空ラミネート容器であり、
上記真空ラミネート容器内に入れられた脱水剤を有し、
上記真空ラミネート容器内を負圧にして封止したことを特徴とする請求項３に記載の扁平巻回形電力貯蔵デバイスモジュール。
【請求項６】
上記端子間接合部に電圧端子を電気的に接続し、上記樹脂材を介して取り出すことを特徴とする請求項１に記載の扁平巻回形電力貯蔵デバイスモジュール。
【発明の詳細な説明】
【技術分野】
【０００１】
この発明は、電気二重層キャパシタ、リチウムイオン電池、リチウムイオンキャパシタなどの扁平巻回形電力貯蔵デバイスセルを複数個直列に接続した扁平巻回形電力貯蔵デバイスモジュールに関するものである。
【背景技術】
【０００２】
扁平巻回形で容器に収納された扁平巻回形電力貯蔵デバイスセルとしては、電気二重層キャパシタ、リチウムイオン電池、リチウムイオンキャパシタなどがある。
【０００３】
電気二重層キャパシタは、セパレータを挟んで互いに対向する分極性電極（正極および負極）を設け、電解液中において分極性電極の表面に形成される電気二重層の静電容量を利用したものである。
【０００４】
また、リチウムイオン電池は、正極にコバルト、ニッケル、マンガンなどの酸化物を、負極にカーボンを用いたものであり、リチウムをカーボン負極に安定に充電貯蔵できることが特長である。
【０００５】
さらに、新しい電気二重層キャパシタとして、リチウムイオンキャパシタが開発されている。このリチウムイオンキャパシタは、電気二重層キャパシタの負極にリチウムイオンをドープしたもので、電気二重層キャパシタよりも高い上限電圧が得られるが、下限電圧を０Ｖにまでできないという特性をもつものである。
【０００６】
これらの電力貯蔵デバイスセルは、アルミラミネート容器や金属容器などの密閉容器に収納されているので、安価でコンパクトに構成できるが、出力電圧が３〜４Ｖ程度と、アルミ電解コンデンサの出力電圧の４００Ｖに比べて低いので、直列に接続することでモジュール化して出力電圧を上げて使用されるのが一般的である。
【０００７】
扁平巻回形の電力貯蔵デバイスセルに用いられる電極は、厚さが１０〜３０μｍ程度の帯状の正極集電箔および負極集電箔の上に正極電極層および負極電極層を塗布してセルロースやオレフィン系の樹脂繊維などでできた多孔質な帯状のセパレータを介して、扁平形状の巻回軸芯を中心として数ｍ〜数十ｍも巻回されたものである。このように構成された扁平巻回形の電力貯蔵デバイスセルは、短冊状の電極を数十枚積み重ねられた積層形の電力貯蔵デバイスセルに比べて、短時間で巻回することができるので量産性や、低コストの点で有利である。
【０００８】
本発明と同じ出願人によって出願された特許文献１の図８に開示された従来の扁平巻回形電力貯蔵デバイスモジュールでは、巻回の軸方向に並べられ、負極側と正極形それぞれ２個の電流端子が電気的に接続されて端子間接合部を構成し、最短の端子間接続を実現して電気抵抗を小さくコンパクトに構成されている（例えば、特許文献１参照）。
【先行技術文献】
【特許文献】
【０００９】
【特許文献１】特開２００９−１２４０７３号公報
【発明の概要】
【発明が解決しようとする課題】
【００１０】
しかしながら、装置に組み込んだときに、端子間接合部が他の導体部品と接触して短絡する恐れがあり、これを避けるために単に絶縁物で固定した場合、電極端子部の自由度がなく、コンパクトにできないという問題がある。
【００１１】
この発明は、上述のような課題を解決するためになされたものであり、電極端子部の自由度を損なうことなく他の部品と接触しても短絡を防止できる絶縁性を確保できる扁平巻回形電力貯蔵デバイスモジュールを提供することを目的とする。
【課題を解決するための手段】
【００１２】
この発明に係る扁平巻回形電力貯蔵デバイスモジュールは、正極集電箔に正極電極層が形成された帯状の正極と負極集電箔に負極電極層が形成された帯状の負極との間に電気絶縁性を有する帯状のセパレータを挟んで扁平な形状に巻回された扁平巻回電極部、上記扁平巻回電極部に電解液を含浸させて密閉収納する密閉容器、および上記密封容器と電気的に絶縁されて上記正極集電箔および上記負極集電箔にそれぞれ巻回の軸方向に電気的に接続された正極端子および負極端子を備えた扁平巻回形電力貯蔵デバイスセルを複数個直列に接続した扁平巻回形電力貯蔵デバイスモジュールにおいて、複数個の上記扁平巻回形電力貯蔵デバイスセルは、直線状に並べられるとともに直列接続され、一端に配置された上記扁平巻回形電力貯蔵デバイスセルの上記負極端子および他端に配置された上記扁平巻回形電力貯蔵デバイスセルの上記正極端子を除いて隣接する上記負極端子と上記正極端子が電気的に接続された端子間接合部と、上記各端子間接合部を上下から挟む少なくとも２枚の樹脂材と、各上記端子間接合部を覆う２枚の上記樹脂材の該端子間接合部の近傍に位置する部分で上記樹脂材を接合する樹脂材接合部と、を有する。
【発明の効果】
【００１３】
この発明に係る扁平巻回形電力貯蔵デバイスモジュールは、端子間接合部を上下から覆って電気的に絶縁する２枚の樹脂材で端子間接合部に接する部分を除く扁平巻回形電力貯蔵デバイスセルと扁平巻回形電力貯蔵デバイスセルに挟まれた空間の上下の樹脂材の一部分を接合することで、端子間接合部と樹脂材が固定されていないために、端子間接合部の自由度を束縛することがなく、端子間接合部を折り曲げるなどの組み立て工程が容易になる。
【図面の簡単な説明】
【００１４】
【図１】この発明の実施の形態１に係る扁平巻回形電力貯蔵デバイスモジュールの正面図（ａ）と側面図（ｂ）である。
【図２】扁平巻回形電力貯蔵デバイスセルの平面模式図である。
【図３】扁平巻回形電力貯蔵デバイスセルの電流端子を切り離して示した平面模式図である。
【図４】この発明の実施の形態２に係る扁平巻回形電力貯蔵デバイスモジュールの側面図である。
【図５】この発明の実施の形態３に係る扁平巻回形電力貯蔵デバイスモジュールの正面図（ａ）と側面図（ｂ）である。
【図６】この発明の実施の形態４に係る扁平巻回形電力貯蔵デバイスセルと放熱板である。
【図７】この発明の実施の形態５に係る扁平巻回形電力貯蔵デバイスモジュールの正面図である。
【図８】この発明の実施の形態６に係る扁平巻回形電力貯蔵デバイスモジュールの正面図である。
【図９】この発明の実施の形態７に係る扁平巻回形電力貯蔵デバイスモジュールの正面図である。
【図１０】この発明の実施の形態８に係る扁平巻回形電力貯蔵デバイスモジュールの正面図である。
【発明を実施するための形態】
【００１５】
以下、本発明の扁平巻回形電力貯蔵デバイスモジュールの好適な実施の形態につき図面を用いて説明する。
実施の形態１．
図１は、この発明の実施の形態１に係る扁平巻回形電力貯蔵デバイスモジュールの正面図（ａ）と側面図（ｂ）である。尚、本実施の形態に係る扁平巻回形電力貯蔵デバイスモジュールとして、電気二重層キャパシタを例にして説明するが、これに限るものではなく、リチウムイオン電池やリチウムイオンキャパシタなどであっても同様である。
【００１６】
最初に、本発明の扁平巻回形電力貯蔵モジュールを構成する扁平巻回形電力貯蔵デバイスセル１について説明する。図２は、図１の扁平巻回形電力貯蔵デバイスモジュールを構成している扁平巻回形電力貯蔵デバイスセルの平面模式図である。また、図３は、図２の扁平巻回形電力貯蔵デバイスセル１の負極端子２と正極端子３を切り離して示した平面模式図である
この発明に係る扁平巻回形電力貯蔵デバイスセル１は、正極集電箔１５に塗布された図示しない正極電極層と負極集電箔１４の裏面に塗布された図示しない負極電極層とが図示しないセパレータを介して対峙して巻回されて構成される扁平巻回電極部１１、負極集電箔１４と正極集電箔１５とにそれぞれ扁平巻回の軸方向（図３上では横方向）に超音波溶接で接続された負極端子２と正極端子３、扁平巻回電極部１１を包装する密閉容器１２を備える。
【００１７】
正極集電箔１５としては厚さ２０〜３０μｍ程度のアルミ箔が、負極集電箔１４としては、厚さ２０μｍ程度のアルミ箔もしくは厚さ１０〜２０μｍ程度の銅箔などが用いられる。
【００１８】
負極端子２と正極端子３は、それぞれ中央部と両端部を切り欠いた負極集電箔１４と正極集電箔１５に扁平巻回の軸方向から積層された負極集電箔１４と正極集電箔１５の間に挿入し、超音波接続部４において超音波溶接によって溶接する。超音波接続部４には接痕が残る。
正極端子３としては、厚さ１ｍｍ程度のアルミ箔やステンレスが、負極端子２としては、厚さ１ｍｍ程度のアルミやニッケルメッキした銅が用いられる。これらの金属箔や電流端子の厚さについては、取り出す電流の大きさによって選択され、電流が大きくなるほど厚い素材が用いられる。
なお、２つの負極端子２と２つの正極端子３とを備えており、セルの放熱性および集電性を改善している。
【００１９】
セパレータとしては、セルロース系や、ガラス繊維、非フィブリル化有機繊維を含有する不織布などが用いられる。
正極電極層および負極電極層の材料については、電気二重層キャパシタ、リチウムイオン電池およびリチウムイオンキャパシタによって異なるが、一般的に用いられている材料をそのまま用いることができ、電気二重層キャパシタの場合には、活性炭微粒子に導電材としてカーボンブラックを添加し、増粘剤とバンダーを添加してペースト化して塗布し乾燥したものを用いることができる。その厚さは、用途によって異なるが、１０〜１００μｍ程度である。
【００２０】
セパレータに含浸される電解質については、電気二重層キャパシタ、リチウムイオン電池およびリチウムイオンキャパシタによって異なるが、一般的に用いられている材料をそのまま用いることができ、電気二重層キャパシタの場合には、例えばカチオンとアニオンの組み合わせで、カチオンが４級アンモニウム、１，３−ジアルキルイミダゾリウム、または１，２，３−トリアルキルイミダゾリウムで、アニオンがＢＦ４−、ＰＦ６−、ＣｌＯ４−、またはＣＦ３ＳＯ３−の塩や、１−エチル−３−メチルイミダゾリウム（ＥＭＩ）、１，２−ジメチル−３−プロピルイミダゾリウム（ＤＭＰＩ）のＡｌＣｌ４−やＢＦ４−などの塩などが用いられており、溶媒として炭酸プロピレン、炭酸エチレン、炭酸ジメチル、スルフォラン、炭酸ジエチル、ジメトキシメタン、ジエトキシエタン、γ−ブチルラクトン、アセトニトリル、プロピオニトリルから選ばれる一種またはこれらの二種以上の混合溶媒などが用いられている。なお、本実施の形態において電解液とは、これらを含んだ液状の電解質溶液のことを意味する。
【００２１】
扁平巻回形電力貯蔵デバイスセル１の大きさについては、使用目的によって異なるが、扁平巻回電極部１１の縦が約１００ｍｍ、横が約８０ｍｍ、厚さが約１０ｍｍで、電気二重層キャパシタの静電容量で約１０００Ｆである。
【００２２】
帯状の正極、負極およびセパレータの配置については、特許文献１と同様の構成とすることができる。帯状の正極と負極およびセパレータの長さは約８ｍである。電気二重層キャパシタに限らず、リチウムイオン電池やリチウムイオンキャパシタでも同様の構成が用いられる。
【００２３】
密閉容器１２の内部を開口部分から真空に引いて扁平巻回電極部１１に含まれていた水分などを除去した後、開口部分から電解液を密閉容器１２の内部に注入する。そしてシール材で開口部分をシールしてシール部を構成する。電気二重層キャパシタの場合には、予備充電回路を用いて、負極端子２と正極端子３との間に動作電圧よりも高い電圧を印加して、さらに水分などを除去する。ガス放出弁６を取り付けて封止して扁平巻回形電力貯蔵デバイスセル１を完成させる。
【００２４】
この発明の実施の形態１に係る扁平巻回形電力貯蔵デバイスモジュールは、図１に示すように、５つの扁平巻回形電力貯蔵デバイスセル１を電気的に直列に接続されて構成されている。
５個の扁平巻回形電力貯蔵デバイスセル１を、図１に示すように、負極端子２と正極端子３とをそれぞれ対峙させて直線上に並べ、それぞれの負極端子２と正極端子３とを超音波接合等により電気的に接続して端子間接合部５を設ける。
この端子間接合部５を、上下２枚の樹脂材７で挟み、この上下の樹脂材７の端子間接合部５に接する部分を除く扁平巻回形電力貯蔵デバイスセル１と扁平巻回形電力貯蔵デバイスセル１に挟まれた空間の一部分を接合し樹脂材接合部８を形成する。
【００２５】
一部分を接合する方法としては、上下２枚の樹脂材７の一部を凹凸にしてボタンのように嵌合する構造にすることができる。嵌合する構造にした場合には、取り付けた後で取り外しすることもできる。
また、上下２枚の樹脂材７の一部を熱融着させて接合してもよい。熱融着する場合には、熱を加えることになるが、端子間接合部５に直接的には接していない部分を加熱して融着するので、端子間接合部５から熱がシール部１３に伝わって、シール部１３を劣化させる心配がない。
【００２６】
端子間接合部５を上下２枚の樹脂材７で覆うことにより、端子間接合部５が電気的な絶縁が保たれる。そのため、扁平巻回形電力貯蔵デバイスセル１を他の装置に組み込んだときに、端子間接合部５が他の導体部品と接触して短絡を起こすことを防ぐことができる。  また、端子間接合部５に水分が付着するのを防止することができる。さらには、電解液が安全弁から放出された場合でも、端子部に電解液が付着するのを防止することができる。
【００２７】
また、端子間接合部５に接する部分を除く扁平巻回形電力貯蔵デバイスセル１と扁平巻回形電力貯蔵デバイスセル１に挟まれた空間の上下の樹脂材を熱融着した場合にも、熱可塑性樹脂を溶融させるための熱が金属である電流端子を通じて密閉容器１２と電流端子との間の電流端子シール部に伝わって電流端子シール部にダメージを与える恐れがない。熱が伝わると、熱融着されている電流端子シール部が柔らかくなり、扁平巻回形電力貯蔵デバイスセル１に水分が浸入する、電流端子シール部から電解液漏れるなどの不具合が生じる。
【００２８】
実施の形態２．
図４は、この発明の実施の形態２に係る扁平巻回形電力貯蔵デバイスモジュールの側面図である。
この発明の実施の形態２に係る扁平巻回形電力貯蔵デバイスモジュールは、実施の形態１と同様に作製した１０個の扁平巻回形電力貯蔵デバイスセル１を直列に接続したモジュールで、５セル目と６セル目の間の端子間接合部５を折り曲げている。
端子間接合部５と樹脂材７が直接的には固定されていないために、端子間接合部５の自由度を束縛することがなく、端子間接合部５を折り曲げることができるので、これにより実施の形態２に示す構成のモジュールの組み立て工程が容易になる。端子間接合部５において、樹脂材７が端子間接合部５の内側および外側での電気的な絶縁が保たれている。また、端子間接合部５に水分が付着するのを防止することができる。さらには、電解液が安全弁から放出された場合でも、端子部に電解液が付着するのを防止することができる。
【００２９】
実施の形態３．
図５は、この発明の実施の形態３に係る扁平巻回形電力貯蔵デバイスモジュールの正面図（ａ）と側面図（ｂ）である。
この発明の実施の形態３に係る扁平巻回形電力貯蔵デバイスモジュールは、実施の形態１と同様に作製した１０個の扁平巻回形電力貯蔵デバイスセル１を直列に接続したモジュールで、扁平巻回形電力貯蔵デバイスセル１を交互に蛇腹状に折りたたみ、折りたたまれたセルの間にそれぞれ放熱板１８を挟んで構成している。
図６は、この発明の実施の形態３に係る扁平巻回形電力貯蔵デバイスセル１と放熱板１８の斜視図である。
放熱板１８は、セル間挟持部１６と底面放熱部１７とで構成されており、セルから伝熱によって受け取った熱を底面放熱部１７で放熱する。
【００３０】
実施の形態３では、扁平巻回形電力貯蔵デバイスモジュールの側面では、樹脂材７が端子間接合部５の内側および外側での電気的な絶縁が保たれている。また、端子間接合部５に水分が付着するのを防止することができる。さらには、電解液が安全弁から放出された場合でも、端子部に電解液が付着するのを防止することができる。さらに端子間接合部５が樹脂材７と直接融着して固定されていないために、端子間接合部５の自由度を束縛することがなく、端子間接合部５を折り曲げることができるもので、これにより実施の形態３に示す構成のモジュールの蛇腹構成の組み立て工程が容易になる。
【００３１】
実施の形態４．
図７は、この発明の実施の形態４に係わる扁平巻回形電力貯蔵デバイスモジュールの正面図（ａ）と側面図（ｂ）である。
この発明の実施の形態４に係る扁平巻回形電力貯蔵デバイスモジュールは、この発明の実施の形態１に係る扁平巻回形電力貯蔵デバイスモジュールと端子間接合部５を覆う樹脂材７の代わりに袋状の熱可塑性樹脂フィルムからなるモジュール密閉袋２１を使用したことが異なり、それ以外は同様であるので、同様な部分には同じ符号を付記し説明を省略する。
モジュール密閉袋２１は、直列に接続された５個の扁平巻回形電力貯蔵デバイスセル１の全体を負極端子９および正極端子１０の途中まで包み込み、負極端子９および正極端子１０との間をシール部２０により外気と遮断する。
また、端子間接合部５の周辺の樹脂材接合部８でモジュール密閉袋２１を厚み方向に接合する。
このように負極端子９および正極端子１０を除いて扁平巻回形電力貯蔵デバイスモジュールがモジュール密閉袋２１により密閉されるので、端子間接合部５に水分が付着するのを防止すると共に、電解液が安全弁から放出された場合でも、端子部に電解液が付着するのを防止することができる。
【００３２】
実施の形態５．
図８は、この発明の実施の形態５に係る扁平巻回形電力貯蔵デバイスモジュールの正面図である。
この発明の実施の形態５に係る扁平巻回形電力貯蔵デバイスモジュールは、この発明の実施の形態４に係る扁平巻回形電力貯蔵デバイスモジュールとモジュール密閉袋２１Ｂが異なり、それ以外は同様であるので、同様な部分に同じ符号を付記し説明は省略する。
モジュール密閉袋２１の面積は、直列に接続した５個の扁平巻回形電力貯蔵デバイスセル１の面積に等しいが、モジュール密閉袋２１Ｂの面積は直列に接続した５個の扁平巻回形電力貯蔵デバイスセル１の面積の例えば１．５倍位であり、直列に接続した５個の扁平巻回形電力貯蔵デバイスセル１はモジュール密閉袋２１Ｂ内に片側に寄せて密閉している。そして、直列に接続した５個の扁平巻回形電力貯蔵デバイスセル１がモジュール密閉袋２１Ｂ内を動かないように融着部２３でモジュール密閉袋２１Ｂを厚さ方向から融着する。融着することによりモジュール密閉袋２１Ｂ内に膨張部２２が形成される。
【００３３】
このようにモジュール密閉袋２１Ｂ内にガスが溜まったときに筒状の風船のように膨らむ膨張部２２が形成されるので、扁平巻回形電力貯蔵デバイスセル１からガスが発生した場合に、発生したガスを扁平巻回形電力貯蔵デバイスモジュール内に閉じ込めておくことができる。
【００３４】
実施の形態６．
図９は、この発明の実施の形態６に係る扁平巻回形電力貯蔵デバイスモジュールの正面図である。
この発明の実施の形態６に係る扁平巻回形電力貯蔵デバイスモジュールは、この発明の実施の形態５に係る扁平巻回形電力貯蔵デバイスモジュールのモジュール密閉袋２１Ｂの代わりに真空ラミネート容器２４が使用されることが異なり、それ以外は同様であるので、同様な部分に同じ符号を付記し説明は省略する。
真空ラミネート容器２４は、袋状でアルミ箔の表裏に熱可塑性樹脂を張りつけたものである。そして、膨張部２２には脱水剤２５が入れられている。
真空ラミネート容器２４内に脱水剤２５を入れ、かつ真空に引いて真空ラミネート容器２４内を負圧にして封止している。
これによって、端子間接合部５に水分が付着するのを完全に防止すると共に、電解液が安全弁から放出された場合でも、端子部に電解液が付着するのを防止することができる。
【００３５】
実施の形態７．
図１０は、この発明の実施の形態７に係る扁平巻回形電力貯蔵デバイスモジュールの正面図である。
この発明の実施の形態７に係る扁平巻回形電力貯蔵デバイスモジュールは、この発明の実施の形態１に係る扁平巻回形電力貯蔵デバイスモジュールにバランス抵抗２７を追加したことが異なり、それ以外は同様であるので、同様な部分に同じ符号を付記し説明は省略する。
【００３６】
端子間接合部５に電圧端子２６を電気的に接続し、電圧端子２６を外側に取り出す。その後で端子間接合部５を樹脂材７により絶縁被覆する。
また、負極端子９および正極端子１０にも電圧端子２６を電気的に接続し、電圧端子２６を外側に取り出す。その後で、電圧端子２６が接続された負極端子９および正極端子１０の部分を樹脂材７により絶縁被覆する。
【００３７】
各扁平巻回形電力貯蔵デバイスセル１に並列に負極端子２と正極端子３に接続された電圧端子２６の間にバランス抵抗２７を接続する。
バランス抵抗２７は、扁平巻回形電力貯蔵デバイスセル１間に微弱の放電電流を流して、扁平巻回形電力貯蔵デバイスセル１間の電圧のバランスをとって一部の扁平巻回形電力貯蔵デバイスセル１の電圧が高くなりすぎるのを防止する働きをする。
なお、バランス抵抗２７の他にチェナーダイオードなども用いても良い。
電圧端子２６は、特定の扁平巻回形電力貯蔵デバイスセル１または各扁平巻回形電力貯蔵デバイスセル１の電圧を計測するのに用いることができる。端子間接合部５に電気的に接続された電圧端子２６は、樹脂材７を介しての外側に取り出されているので、確実な電気絶縁がなされる。
【符号の説明】
【００３８】
１  扁平巻回形電力貯蔵デバイスセル、２  負極端子、３  正極端子、４  超音波接続部、５  端子間接合部、６  ガス放出弁、７  樹脂材、８  樹脂材接合部、９  端セルの負極端子、１０  端セルの正極端子、１１  扁平巻回電極部、１２  密閉容器、１３  シール部、１４  負極集電箔、１５  正極集電箔、１６  セル間挟持部、１７  底面放熱部、１８  放熱板、２０  シール部、２１、２１Ｂ  モジュール密閉袋、２２  膨張部、２３  融着部、２４  真空ラミネート容器、２５  脱水剤、２６  電圧端子、２７  バランス抵抗。
【図１】
2011096883.tif 000003
【図２】
2011096883.tif 000004
【図３】
2011096883.tif 000005
【図４】
2011096883.tif 000006
【図５】
2011096883.tif 000007
【図６】
2011096883.tif 000008
【図７】
2011096883.tif 000009
【図８】
2011096883.tif 000010
【図９】
2011096883.tif 000011
【図１０】
2011096883.tif 000012